【事件の表示】
　特願２００４−　５１６８３「写真プリント提供装置」拒絶査定不服審判事件〔平成１７年　９月　８日出願公開、特開２００５−２４１９７６〕について、次のとおり審決する。
【結　論】
　本件審判の請求は、成り立たない。
【理　由】
１．手続の経緯
　本願は、平成１６年２月２６日の出願であって、平成１９年３月１４日付け拒絶理由通知に対して、同年５月２４日付けで手続補正がなされ、さらに、平成１９年６月１２日付け拒絶理由通知に対して、同年８月１７日付けで手続補正がなされたが、同年９月６日付けで、同年８月１７日付け手続補正に対する補正の却下の決定がなされるととともに、同日付で拒絶査定され、これに対して、同年１０月１７日に拒絶査定不服審判の請求がなされ、さらに同年１１月１５日付けで手続補正がなされたたものである。
　その後、当審から、平成２０年２月２１日付けで、拒絶理由を通知した。
　これに対して、同年４月２１日付けで意見書が提出されるとともに、同日付けで手続補正がされた。
　
２．本願発明
　本願の請求項１に係る発明は、平成２０年４月２１日付け手続補正により補正された特許請求の範囲の請求項１に記載された事項により特定される次のとおりのもの（以下、「本願発明」という。）と認める。
「【請求項１】
　使用者を含む被写体を撮影するカメラを有する撮影部と、
　上記撮影部とそれぞれ異なる場所に配置され、上記撮影部で撮影された撮影画像に対する編集入力を受け付ける編集入力受付手段を有する第１編集部および第２編集部とを備え、使用者からの対価の受け付けに応じて上記撮影部における撮影処理と、上記第１編集部および第２編集部における撮影画像の編集処理と、上記編集処理によって得られた画像を第１編集部と第２編集部に共用のプリンタによって印刷するプリント処理を実行して使用者に対して写真プリントを提供する写真プリント提供装置であって、
　装置の保守操作を装置の操作者に対して実行させる保守操作手段と、上記保守操作手段の操作を受け付けて上記操作者による装置の設定操作を受け付けるテストモード処理手段とをさらに備え、上記テストモード処理手段は、上記第１編集部の使用を不可能にする設定および第２編集部の使用を不可能にする設定を受け付けるようになっており、上記テストモード処理手段の設定に基づいて、撮影部から使用を不可能にする設定がされていない編集部へ使用者を誘導する誘導手段をさらに備えていることを特徴とする写真プリント提供装置。」
　
３．引用例
　平成２０年２月２１日付け拒絶理由通知に引用された、本願の出願前に頒布された刊行物である特開２００３−３２５８６号公報（以下、引用例１という。）には、次の事項が記載されている。
（以下、下線箇所の下線は、当審にて記入したものである。）
　
記載事項ア
「【特許請求の範囲】
【請求項１】  被写体を撮影する撮影手段と、
前記撮影手段により撮影された前記被写体の画像を表示する第１の表示手段と、
　
前記撮影手段により撮影された前記被写体の画像のうち、編集対象画像として選択された前記被写体の画像を表示する第２の表示手段と、
前記第２の表示手段により表示された前記被写体の画像に対する編集入力を受け付ける第１の入力受け付け手段と、
前記第１の入力受け付け手段により受け付けられた前記編集入力に基づいて、前記被写体の画像を編集する第１の編集手段と、
　前記第１の印刷手段により前記被写体の画像が印刷された前記印刷媒体を排出する第１の排出手段と、
　
前記撮影手段により撮影された前記被写体の画像のうち、前記編集対象画像として選択された前記被写体の画像を表示する第３の表示手段と、　前記第３の表示手段により表示された前記被写体の画像に対する前記編集入力を受け付ける第２の入力受け付け手段と、
前記第２の入力受け付け手段により受け付けられた前記編集入力に基づいて、前記被写体の画像を編集する第２の編集手段と、
　前記第２の印刷手段により前記被写体の画像が印刷された前記印刷媒体を排出する第２の排出手段とを備え、
　前記撮影手段により前記被写体を撮影する撮影空間、前記第２の表示手段により表示される前記被写体の画像を編集し、前記第１の排出手段により前記印刷媒体を排出する第１の編集空間、および、前記第３の表示手段により表示される前記被写体の画像を編集し、前記第２の排出手段により前記印刷媒体を排出する第２の編集空間が、それぞれ異なる位置に設けられることを特徴とする画像印刷装置。
【請求項２】  前記画像印刷装置の所定の面を基準として、
　前記第１の表示手段は、前記画像印刷装置の正面に配置され、
　前記第２の表示手段および前記第１の排出手段は、前記画像印刷装置の右側面に配置され、
　前記第３の表示手段および前記第２の排出手段は、前記画像印刷装置の左側面に配置されることを特徴とする請求項１に記載の画像印刷装置。
【請求項３】  前記第１の表示手段は、前記撮影空間において撮影が終了されたとき、
前記第１の編集空間、または前記第２の編集空間への移動を案内する案内画面をさらに表示することを特徴とする請求項１または２に記載の画像印刷装置。
　
記載事項イ
「【０００１】
【発明の属する技術分野】
本発明は画像印刷装置および方法
ユーザの回転率を向上させ、順番待ちの時間を短縮することができる
【０００２】
【従来の技術】
従来、ユーザの画像を撮影し、これを予め用意されたフレーム画像と合成してシール紙などに印刷して提供する画像印刷装置（例えば、プリントクラブ（商標））が知られている。そして、この画像印刷装置には、ユーザは、撮影した画像上に付属のペンで任意の文字や図形などを書き込む（編集する）ことができるようになされているものも存在する。
　
記載事項ウ
「【０００８】ユーザは、第１の表示手段により表示される画面を確認ながら撮影し、編集する画像を選択する。そして、ユーザは、撮影処理が終了したとき、第２の表示手段または第３の表示手段により表示される画面を確認しながら、撮影した画像を編集する（書き込みをする）。そして、ユーザは、印刷処理が終了したとき、第１の排出手段または第２の排出手段により排出されるシールシートを取得する。従って、ユーザには、撮影空間において撮影した後、第１の編集空間または第２の編集空間へ移動することが案内される。
【０００９】第１の表示手段、第２の表示手段、および第３の表示手段は、例えば、図１および図２に示すように、筐体１０の正面、右側面、および左側面にそれぞれ設けられる。
【００１０】
編集空間を複数設け、それぞれ撮影空間と異なった位置に設けることにより、
１つの編集空間において、編集を行っている他のユーザがいても、撮影を終了したユーザは、他の編集空間に移動し、撮影した画像を編集することができる。さらに、１つの編集空間において、シールシートの不足等により印刷不可能となる場合においても同様である。
　
記載事項エ
「【００１５】例えば、第１の編集空間にユーザを誘導する場合、図１２に示すような案内画面が第１の表示手段に表示される。また、第２の編集空間にユーザを誘導する場合、図１３に示すような案内画面が第１の表示手段に表示される。これによりユーザは、複数設けられている編集空間のうちの使用されていない編集空間に移動することができる。」
　
記載事項オ
「【００２６】
【発明の実施の形態】図１は、本発明を適用した画像印刷装置の構成例を示す斜視図である。
【００２７】図１において、画像印刷装置１の筐体１０の正面上方の面１０−１には、撮影装置２０が設置されている。この撮影装置２０には、CCD（Charge Coupled Device）、あるいはCMOS（Complementary Metal Oxide Semiconductor）などよりなるカメラ２１、および小型のLCD（Liquid Crystal Display）などよりなる取り込み画像表示部２２が配置されている。カメラ２１は、被写体の画像を取り込み、その画像（動画像）は、取り込み画像表示部２２に表示される。取り込み画像表示部２２がカメラ２１の近傍に設けられているため、ユーザは、取り込み画像表示部２２に表示されている自分の画像を確認しながら、視線をほぼカメラ２１に向けた状態で撮影することができる。」
　
記載事項カ
「【００３２】筐体１０の右側面である面１０−４には、CRTやLCDなどよりなる編集用モニタ６１、タッチペン６２、およびスピーカ６３が設けられており、その下方には印刷されたシールシートを排出する印刷物取り出し口６４が設けられている。
【００３３】カメラ２１で撮影され、編集する画像として選択され、保存された画像は、ユーザが撮影処理を終了した後、編集用モニタ６１に表示される。編集用モニタ６１には、タッチパネル２６２（図８参照）が積層されており、ユーザは、編集用モニタ６１に表示されている画像に対して、タッチペン６２を操作することにより、編集対象の画像（以下、適宜、編集対象画像と称する）に任意の文字や図形などを書き込む（入力する）ことができる。
【００３４】すなわち、ユーザは、筐体１０の正面（面１０−１）前方の場所（以下、適宜撮影空間と称する）で自分自身を撮影したのち、面１０−４の前方の場所（以下、適宜第１の編集空間と称する）へ移動して、撮影した自分自身の画像を編集する。・・・
【００４０】図２において、画像印刷装置１の筐体１０の左側面１０−６には、編集用モニタ７１、タッチペン７２、およびスピーカ７３が設けられており、その下方には印刷されたシールシートを排出する印刷物取り出し口７４が設けられている。
【００４１】カメラ２１による撮影処理が終了した後、第１の編集空間において、撮影を終了したユーザが編集を行うことができない場合、編集対象画像として選択され、保存された画像は、編集用モニタ７１に表示される。編集用モニタ７１には、タッチパネル２７２（図８参照）が積層されており、ユーザは、編集用モニタ７１に表示されている画像に対して、タッチペン７２を操作することにより、編集対象画像に任意の文字や図形などを書き込む（入力する）ことができる。
【００４２】すなわち、ユーザは、撮影空間で自分自身を撮影したのち、第１の編集空間において編集を行うことができない場合、面１０−６の前方の場所（以下、適宜第２の編集空間と称する）へ移動して、撮影した自分自身の画像を編集する。」
　
記載事項キ
「【００４５】図３において、画像印刷装置１の筐体１０の背面１０−７には、プリンタ９１および９２（図８参照）の保守および点検用の蓋部材８１および８２（開口部８０）が形成されている。」
　
記載事項ク
「【００６８】ステップＳ２において、CPU２０１は、硬貨処理部２０７からの出力に基づいて、所定の代金（シールシートの作成代金）が投入されたか否かを判定し、投入されたと判定するまでデモ画面を表示して待機する。一方、CPU２０１は、
代金が投入されたと判定した場合、ステップＳ３に進み、操作パネル４２からの入力を受け付け、ユーザの指示によるカメラ２１の調整等の撮影準備を行う。
【００６９】CPU２０１は、ステップＳ４において、ユーザが撮影開始を指示するために操作する操作パネル４２の撮影開始ボタンの受け付けを開始し、ステップＳ５において、所定の時間が経過したか否か、または、ユーザにより撮影開始のボタンが操作されたか否かを判定し、所定の時間が経過した、または、ユーザにより撮影開始ボタンが操作されたと判定するまで待機する。
【００７０】
所定の時間が経過した、または、ユーザにより撮影開始ボタンが操作されたと判定した場合、
撮影用モニタ４１に、カウントダウンインジケータを表示させ、撮影を行う。
　
記載事項ケ
「【００７９】撮影を終了したCPU２０１は、ステップＳ１４において、映像入出力制御部２６１およびプリンタ９１の動作状態を確認し、第１の編集空間において編集処理を行うことができるか否かを判定する。CPU２０１は、第１の編集空間において編集処理を行うことができると判定した場合、ステップＳ１５に進み、撮影空間にいるユーザを第１の編集空間に移動させるために、案内画面を撮影用モニタ４１に表示させる。
【００８０】図１２は、撮影用モニタ４１に表示される案内画面の表示例を示す図である。
【００８１】図１２において、案内画面３０１は、「こちらで、落書きしてね！」の文章と、第１の編集空間の場所を示す右向きの矢印を含む。これにより、撮影を終了したユーザは、編集作業を行う場所を把握することができる。
【００８２】案内画面を表示させたCPU２０１は、ステップＳ１に戻り、次のユーザに対してそれ以降の処理を繰り返す。
【００８３】ステップＳ１４において、第１の編集空間において編集処理を行うことができないと判定した場合、CPU２０１は、ステップＳ１６に進み、映像入出力制御部２７１およびプリンタ９２の動作状態を確認し、第２の編集空間において編集処理を行うことができるか否かを判定する。CPU２０１は、第２の編集空間において編集処理を行うことができると判定した場合、ステップＳ１７に進み、撮影空間にいるユーザを第２の編集空間に移動させるために、案内画面を撮影用モニタ４１に表示させる。
【００８４】図１３は、撮影用モニタ４１に表示される案内画面の表示例を示す図である。
【００８５】図１３において、案内画面３０２は、「こちらで、落書きしてね！」の文章と、第２の編集空間の場所を示す左向きの矢印を含む。これにより、撮影を終了したユーザは、編集作業を行う場所を把握することができる。」
　
　以上の記載事項ア〜ケ及び図面から、引用例１には、以下の点が記載されていると言える。
　
（１）記載事項オの「【００２７】図１において、画像印刷装置１の筐体１０の正面上方の面１０−１には、撮影装置２０が設置されている。この
撮影装置２０には、CCD（Charge Coupled Device）、あるいはCMOS（Complementary Metal Oxide Semiconductor）などよりなるカメラ２１、および小型のLCD（Liquid Crystal Display）などよりなる取り込み画像表示部２２が配置されている。カメラ２１は、被写体の画像を取り込み、その画像（動画像）は、取り込み画像表示部２２に表示される。
ユーザは、取り込み画像表示部２２に表示されている自分の画像を確認しながら、視線をほぼカメラ２１に向けた状態で撮影することができる。
　
（２）記載事項アの「被写体を撮影する撮影手段と、
　前記撮影手段により撮影された前記被写体の画像を表示する第１の表示手段と、
　前記撮影手段により撮影された前記被写体の画像のうち、編集対象画像として選択された前記被写体の画像を表示する第２の表示手段と、
　前記第２の表示手段により表示された前記被写体の画像に対する編集入力を受け付ける第１の入力受け付け手段と、
　前記第１の入力受け付け手段により受け付けられた前記編集入力に基づいて、前記被写体の画像を編集する第１の編集手段と、
　前記第１の編集手段により編集された前記被写体の画像を所定の印刷媒体に印刷する第１の印刷手段と、
　前記第１の印刷手段により前記被写体の画像が印刷された前記印刷媒体を排出する第１の排出手段と、
　前記撮影手段により撮影された前記被写体の画像のうち、前記編集対象画像として選択された前記被写体の画像を表示する第３の表示手段と、
　前記第３の表示手段により表示された前記被写体の画像に対する前記編集入力を受け付ける第２の入力受け付け手段と、
　前記第２の入力受け付け手段により受け付けられた前記編集入力に基づいて、前記被写体の画像を編集する第２の編集手段と、
　前記第２の編集手段により編集された前記被写体の画像を前記印刷媒体に印刷する第２の印刷手段と、
　前記第２の印刷手段により前記被写体の画像が印刷された前記印刷媒体を排出する第２の排出手段とを備え、
　前記撮影手段により前記被写体を撮影する撮影空間、前記第２の表示手段により表示される前記被写体の画像を編集し、前記第１の排出手段により前記印刷媒体を排出する第１の編集空間、および、前記第３の表示手段により表示される前記被写体の画像を編集し、前記第２の排出手段により前記印刷媒体を排出する第２の編集空間が、それぞれ異なる位置に設けられることを特徴とする画像印刷装置。」との記載、
　また、上記「第１の編集空間」における「第２の表示手段」、「第１の入力受け付け手段」、及び「第１の編集手段」の各手段に対応する具体的構成とそれらの配置、並びに、上記「第２の編集空間」における「第３の表示手段」、「第２の入力受け付け手段」及び「第２の編集手段」の各手段に対応する具体的構成とそれらの配置を記載した、記載事項カの開示内容と、引用例１の図１、６，７からみて、
　
　引用例１には、
・「第２の表示手段」、「第１の入力受け付け手段」及び「第１の編集手段」は、それぞれ「第１の編集空間」に存在すること。
　
・「第３の表示手段」、「第２の入力受け付け手段」及び「第２の編集手段」は、それぞれ「第２の編集空間」に存在すること。
　
・「撮影空間」、「第１の編集空間」及び「第２の編集空間」は、「それぞれ異なる位置に設けられる」こと。
　
・「第１」、「第２」の「入力受け付け手段」により「編集入力を受け付け」る対象画像は、「撮影手段により撮影された被写体の画像のうち、編集対象画像として選択された前記被写体の画像」（被写体には、ユーザ自身を含む）であること。
がそれぞれ記載されている。
　
　以上をまとめると、引用例１には、
　
　「撮影空間」と「それぞれ異なる位置に設けられ」、「撮影手段により撮影された被写体の画像のうち、編集対象画像として選択された前記被写体の画像」（被写体には、ユーザ自身を含む）に対する「編集入力を受け付ける」「第１」又は「第２」の「入力受け付け手段」が、「第１の編集空間」又は「第２の編集空間」にそれぞれ存在すること、が記載されている。
　
（３）さらに、上記（２）で指摘した記載箇所に加え、記載事項クの「【００６８】・・・
代金が投入されたと判定した場合、ステップＳ３に進み、操作パネル４２からの入力を受け付け、ユーザの指示によるカメラ２１の調整等の撮影準備を行う。
【００７０】
所定の時間が経過した、または、ユーザにより撮影開始ボタンが操作されたと判定した場合、
撮影用モニタ４１に、カウントダウンインジケータを表示させ、撮影を行う。
　
・「ユーザ」からの「代金が投入されたと判定した場合」、「撮影手段」（カメラ２１）により「撮影を行う」こと（なお、撮影は、「撮影空間」で行われることは、記載事項アから明らかである。）、
　
・「第１の編集空間」および「第２の編集空間」において「撮影手段により撮影された前記被写体の画像のうち、編集対象画像として選択された前記被写体の画像」を「第１の編集手段」と「第２の編集手段」で「編集する」こと、
　
・「第１の編集手段により編集された前記被写体の画像」または「第２の編集手段により編集された前記被写体の画像」を、それぞれ「第１の編集手段により編集された前記被写体の画像を所定の印刷媒体に印刷する第１の印刷手段」と、「第２の編集手段により編集された前記被写体の画像を所定の印刷媒体に印刷する第２の印刷手段」により、「所定の印刷媒体に印刷する」こと、
　
・「第１の印刷手段により前記被写体の画像が印刷された前記印刷媒体を排出する第１の排出手段」と、「第２の印刷手段により前記被写体の画像が印刷された前記印刷媒体を排出する第２の排出手段」により、（ユーザ）に対し、「印刷された前記印刷媒体」を排出すること、
　
が、それぞれ記載されている。
　
　以上をまとめると、引用例１には、
　
　「ユーザ」からの「代金が投入されたと判定した場合」、「撮影空間」において「撮影を行」い、「第１の編集空間」および「第２の編集空間」において「撮影手段により撮影された前記被写体の画像のうち、編集対象画像として選択された前記被写体の画像」を「第１の編集手段」と「第２の編集手段」で「編集」し、「第１の編集手段により編集された前記被写体の画像」または「第２の編集手段により編集された前記被写体の画像」を、それぞれ「第１の印刷手段」と「第２の印刷手段」により、「所定の印刷媒体に印刷」し、「第１の印刷手段により前記被写体の画像が印刷された前記印刷媒体を排出する第１の排出手段」と、「第２の印刷手段により前記被写体の画像が印刷された前記印刷媒体を排出する第２の排出手段」により、（ユーザ）に対し、「印刷された前記印刷媒体」を排出する「画像印刷装置」、が記載されている。
　
（４）記載事項キの「【００４５】図３において、画像印刷装置１の筐体１０の背面１０−７には、プリンタ９１および９２（図８参照）の保守および点検用の蓋部材８１および８２（開口部８０）が形成されている。」との記載から、
　
　引用例１には、
　「画像印刷装置」の「第１の印刷手段（具体例として、プリンタ９１が該当する）」及び「第２の印刷手段（具体例として、プリンタ９２が該当する）」の「保守及び点検」を行う点が、が開示されていると言える。
　
（５）記載事項ケの「【００８３】ステップＳ１４において、
第１の編集空間において編集処理を行うことができないと判定した場合、CPU２０１は、ステップＳ１６に進み、映像入出力制御部２７１およびプリンタ９２の動作状態を確認し、第２の編集空間において編集処理を行うことができるか否かを判定する。CPU２０１は、第２の編集空間において編集処理を行うことができると判定した場合、ステップＳ１７に進み、撮影空間にいるユーザを第２の編集空間に移動させるために、案内画面を撮影用モニタ４１に表示させる。
【００８４】図１３は、撮影用モニタ４１に表示される案内画面の表示例を示す図である。
【００８５】図１３において、案内画面３０２は、「こちらで、落書きしてね！」の文章と、第２の編集空間の場所を示す左向きの矢印を含む。
これにより、撮影を終了したユーザは、編集作業を行う場所を把握することができる。
　
　引用例１には、
　「画像印刷装置」が、「第１の編集空間」において、「編集処理をおこなうことができないと判定」された場合において、「第２の編集空間」において「編集処理を行うことができると判定」された場合に、「ユーザ」を、その「編集処理を行うことができると判定」された「第２の編集空間」へ「案内」する「案内画面」を備えている点が記載されている。
　
　以上、記載事項ア〜ケ、及び図面と、上記（１）〜（５）の考察を勘案すると、引用例１には、次の発明（以下、「引用発明」という。）が記載されていると認められる。
「ユーザが自分の画像を含む被写体を撮影する撮影手段により、前記被写体を撮影する撮影空間と、
　前記撮影空間とそれぞれ異なる位置に設けられ、
前記撮影手段により撮影された前記被写体の画像のうち、編集対象画像として選択された前記被写体の画像に対する編集入力を受け付ける第１の入力受け付け手段が有る第１の編集空間と、前記撮影手段により撮影された前記被写体の画像のうち、編集対象画像として選択された前記被写体の画像に対する編集入力を受け付ける第２の入力受け付け手段が有る第２の編集空間とを備え、
　ユーザからの代金が投入されたと判定した場合、前記撮影空間において撮影を行い、前記第１の編集空間および前記第２の編集空間において、前記撮影手段により撮影された前記被写体の画像のうち、前記編集対象画像として選択された前記被写体の画像を前記第１の編集手段と前記第２の編集手段で編集し、前記第１の編集手段により編集された前記被写体の画像または前記第２の編集手段により編集された前記被写体の画像を、それぞれ第１の印刷手段と第２の印刷手段により所定の印刷媒体に印刷し、前記第１の印刷手段により前記被写体の画像が印刷された前記印刷媒体を排出する第１の排出手段と前記第２の印刷手段により前記被写体の画像が印刷された前記印刷媒体を排出する第２の排出手段により、（ユーザ）に対し、前記印刷された前記印刷媒体を排出する画像印刷装置であって、
　前記第１の編集空間において、編集処理をおこなうことができないと判定された場合であって、前記第２の編集空間において、編集処理を行うことができると判定された場合に、ユーザを、編集処理を行うことができると判定された前記第２の編集空間へ案内する案内画面とをさらに備えた画像印刷装置。」
　
　次に、平成２０年２月２１日付け拒絶理由通知に引用された、本願の出願前に頒布された刊行物である特開平７−１４６８９６号公報（以下、引用例２という。）には、次の事項が記載されている。
　
記載事項コ
「【特許請求の範囲】
【請求項１】  ホスト機と複数台のプリンタとを備え、前記ホスト機は印字する情報に応じて予め登録された出力先のプリンタを選択し、データを送信すると共に、前記プリンタは、該ホスト機からのデータを受信して商品に関する情報を印字出力する販売登録装置において、前記ホスト機は、前記プリンタの異常発生を警報する手段と、入力操作に応じて前記異常が発生したプリンタへのデータの出力先を他のプリンタに変更する出力先変更手段と、入力操作に応じて前記変更された出力先を元のプリンタに戻す出力先変更解除手段とを具備していることを特徴とする販売登録装置。
【発明の詳細な説明】
【０００１】
【産業上の利用分野】本発明は、
ホスト機と、該ホスト機からデータを受信して商品名や金額等の商品に関する情報を印字出力する複数台のプリンタを備えた販売登録装置に関するもの
【００１０】
【作用】本発明の販売登録装置によれば、何れかのプリンタに異常が発生した場合、ホスト機が警報するので、オペレータ等は迅速にプリンタ異常の発生を認知し、処置することができる。また、
入力操作に応じてホスト機は異常が発生したプリンタへのデータの出力先を他のプリンタに変更するので、データの印字出力は変更された出力先のプリンタにて引き続き行える
　
記載事項サ
「【００３８】そこで、係る場合にはオペレータはキーボード１１により、図３のレジタスクにおけるステップＳ９の
メンテナンス業務を選択し、次にステップＳ１０のプリンタ故障処理を選択すると、
【００３９】そして、オペレータが変更先のプリンタ、例えばＰ１のアドレス１を入力すると、ステップＳ１６で正しいキー入力か否か判断し、正しければステップＳ１７でＲＡＭ６内のプリンタ故障ファイルにこれらのデータを書き込む。
図１１は係るプリンタ故障ファイルを示している。このファイルには前記故障プリンタＰ２のアドレス２と、変更先のプリンタＰ１のアドレス１が登録され、同時に故障アドレス２に該当する出力先名称ａ、ｃも書き込まれる。
【００４０】
それと同時に制御装置２はＲＡＭ６のプリンタ出力先アドレスマスターファイルのアドレス２を１に変更し、終了したらステップＳ１８からステップＳ１０に戻る。これによって、これまでアドレス２のプリンタＰ２に出力されていた印字データはアドレス１のプリンタＰ１に出力されるように変更される
　
４．対比
　以下、引用発明と本願発明とを対比する。
　
（１）引用発明の「ユーザが自分の画像を含む被写体を撮影する撮影手段により、前記被写体を撮影する撮影空間」と
　本願発明の「使用者を含む被写体を撮影するカメラを有する撮影部」とを対比すると、
　
ア．引用発明の「ユーザが自分の画像を含む被写体」は、本願発明の「使用者を含む被写体」に相当する。
　
イ．引用発明の「撮影手段」は、本願発明の「カメラ」に相当する。
　
ウ．引用発明の「前記被写体を撮影する撮影空間」は、「撮影手段」によって「前記被写体」の撮影がなされる場であることから、前記「撮影手段」を含む（有する）場であると言える。したがって、引用例の「撮影空間」は、本願発明の「撮影部」に相当する。
　
　よって、上記ア．〜ウ．から、両者は相当関係にある。
　
（２）引用発明の「前記撮影手段により撮影された前記被写体の画像のうち、編集対象画像として選択された前記被写体の画像に対する編集入力を受け付ける第１の入力受け付け手段が有る第１の編集空間と、前記撮影手段により撮影された前記被写体の画像のうち、編集対象画像として選択された前記被写体の画像に対する編集入力を受け付ける第２の入力受け付け手段が有る第２の編集空間」と、
　本願発明の「上記撮影部とそれぞれ異なる場所に配置され、上記撮影部で撮影された撮影画像に対する編集入力を受け付ける編集入力受付手段を有する第１編集部および第２編集部」とを対比すると、
　
ア．引用発明の「撮影手段により撮影された前記被写体の画像のうち、編集対象画像として選択された前記被写体の画像」は、本願発明の「撮影部で撮影された撮影画像」に相当する。
　
イ．引用発明の「前記被写体の画像に対する編集入力を受け付ける第１の入力受け付け手段」と「前記被写体の画像に対する前記編集入力を受け付ける第２の入力受け付け手段」は総じて、本願発明の「撮影部で撮影された撮影画像に対する編集入力を受け付ける編集入力受付手段」に相当する。
　
ウ． 引用発明の「第１の編集空間」及び「第２の編集空間」は、それぞれ、本願発明の「第１編集部」及び「第２編集部」に相当する。
　
　よって、上記ア．〜ウ.から、両者は相当関係にあると言える。
　
（３）引用発明の「ユーザからの代金が投入されたと判定した場合、前記撮影空間において撮影を行い、前記第１の編集空間および前記第２の編集空間において、前記撮影手段により撮影された前記被写体の画像のうち、前記編集対象画像として選択された前記被写体の画像を前記第１の編集手段と前記第２の編集手段で編集し、前記第１の編集手段により編集された前記被写体の画像または前記第２の編集手段により編集された前記被写体の画像を、それぞれ第１の印刷手段と第２の印刷手段により所定の印刷媒体に印刷し、前記第１の印刷手段により前記被写体の画像が印刷された前記印刷媒体を排出する第１の排出手段と前記第２の印刷手段により前記被写体の画像が印刷された前記印刷媒体を排出する第２の排出手段により、（ユーザ）に対し、前記印刷された前記印刷媒体を排紙する画像印刷装置」と、
　本願発明の「使用者からの対価の受け付けに応じて上記撮影部における撮影処理と、上記第１編集部および第２編集部における撮影画像の編集処理と、上記編集処理によって得られた画像を第１編集部と第２編集部に共用のプリンタによって印刷するプリント処理を実行して使用者に対して写真プリントを提供する写真プリント提供装置」とを対比すると、
　
ア．引用発明の「ユーザからの代金が投入されたと判定した場合、前記撮影空間において撮影を行い、」は「使用者からの対価の受け付けに応じて上記撮影部における撮影処理」に相当する。
　
イ．引用発明の「前記第１の編集空間および前記第２の編集空間において、前記撮影手段により撮影された前記被写体の画像のうち、前記編集対象画像として選択された前記被写体の画像を前記第１の編集手段と前記第２の編集手段で編集し、」は、本願発明の「上記第１編集部および第２編集部における撮影画像の編集処理と、」に相当する。
　
ウ．引用発明の「前記第１の編集手段により編集された前記被写体の画像または前記第２の編集手段により編集された前記被写体の画像を、それぞれ第１の印刷手段と第２の印刷手段により所定の印刷媒体に印刷し、」と、本願発明の「上記編集処理によって得られた画像を第１編集部と第２編集部に共用のプリンタによって印刷するプリント処理を実行して」とは、編集処理によって得られた画像をプリンタによって印刷するプリント処理、である点一致する。
　
エ．引用発明の「前記第１の印刷手段により前記被写体の画像が印刷された前記印刷媒体を排出する第１の排出手段と前記第２の印刷手段により前記被写体の画像が印刷された前記印刷媒体を排出する第２の排出手段により、（ユーザ）に対し、前記印刷された前記印刷媒体を排出する」は、本願の「使用者に対して写真プリントを提供する」に相当する。
　
オ．引用発明の「画像印刷装置」は、本願発明の「写真プリント提供装置」に相当する。
　
　以上のア．〜オ．から、両者は、
　使用者からの対価の受け付けに応じて上記撮影部における撮影処理と、上記第１編集部および第２編集部における撮影画像の編集処理と、上記編集処理によって得られた画像をプリンタによって印刷するプリント処理を実行して使用者に対して写真プリントを提供する写真プリント提供装置、である点一致する。
　
（４）引用発明の「前記第１の編集空間において、編集処理をおこなうことができないと判定された場合であって、前記第２の編集空間において、編集処理を行うことができると判定された場合に、ユーザを、編集処理を行うことができると判定された前記第２の編集空間へ案内する案内画面」と、
　本願発明の「装置の保守操作を装置の操作者に対して実行させる保守操作手段と、上記保守操作手段の操作を受け付けて上記操作者による装置の設定操作を受け付けるテストモード処理手段とをさらに備え、上記テストモード処理手段は、上記第１編集部の使用を不可能にする設定および第２編集部の使用を不可能にする設定を受け付けるようになっており、上記テストモード処理手段の設定に基づいて、撮影部から使用を不可能にする設定がされていない編集部へ使用者を誘導する誘導手段」とを対比すると、両者は共に、
　
　編集処理の使用が可能である編集部へ使用者を誘導する誘導手段、である点一致する。
　
　以上（１）〜（４）の考察から、引用発明と本願発明とは、
「使用者を含む被写体を撮影するカメラを有する撮影部と、
　上記撮影部とそれぞれ異なる場所に配置され、上記撮影部で撮影された撮影画像に対する編集入力を受け付ける編集入力受付手段を有する第１編集部および第２編集部とを備え、使用者からの対価の受け付けに応じて上記撮影部における撮影処理と、上記第１編集部および第２編集部における撮影画像の編集処理と、上記編集処理によって得られた画像をプリンタによって印刷するプリント処理を実行して使用者に対して写真プリントを提供する写真プリント提供装置であって、
　編集処理の使用が可能である編集部へ使用者を誘導する誘導手段をさらに備えていることを特徴とする写真プリント提供装置。」
の点で一致し、以下の点で相違する。
　
相違点１；
　
　編集処理によって得られた画像を印刷するプリンタが、本願発明では、「第１編集部と第２編集部に共用」のものであるのに対し、引用発明のプリンタは、「第１の編集空間」と「第２の編集空間」それぞれ別に設けられている点。　
　
相違点２；
　
　本願発明は、「装置の保守操作を装置の操作者に対して実行させる保守操作手段と、上記保守操作手段の操作を受け付けて上記操作者による装置の設定操作を受け付けるテストモード処理手段とをさらに備え、上記テストモード処理手段は、上記第１編集部の使用を不可能にする設定および第２編集部の使用を不可能にする設定を受け付けるようになって」おり、また、この各編集部の使用を不可能にする設定が、誘導手段による使用者への誘導の決定要因になるのに対し、引用発明にはそのような構成がない点。
　
５．当審の判断
　
（１）相違点１について
　
　２つの異なる編集部において、編集処理された画像を、共用のプリンタで印刷することは、従来周知に行われている手段であるので（例えば、本願の出願前に頒布された刊行物である特開２００４−４８３７４号公報の【図４】及び【図６】で示された、プリンタユニット９６（及びシール取り出し口３１）と、編集用モニタ４１−１及び編集用モニタ４１−２の構成関係図を参照のこと。）、引用発明のプリンタ手段として、上記従来周知の手段（共用のプリンタで印刷すること）に置き換えることは、当業者であれば適宜なし得る程度の事項にすぎない。
　
（２）相違点２について
　
ア．写真撮影装置の分野において、装置のメンテナンス作業を行うこと、また、そのための操作手段として（テストモードなどによる）特定の処理手段を用いることは、従来周知の手段である。
（例えば、平成１９年６月１２日付け拒絶理由通知において、上記の周知手段の例として提示された、本願の出願前に頒布された刊行物である特許第３４５９９１５号公報には、本願発明と同種の装置（「利用者のコイン投入と操作に基づいて利用者である被写体を撮影し、それにより得られた画像をシールなどの記録媒体にプリントして提供する写真撮影装置」（同特許公報の【０００２】））について、テストモードによる処理手段を用いることにより、メンテナンスを実行することが開示されている（「タイトルデモが表示されている状態で、コイン投入口２６において、当該写真自動販売機を利用するためのコインの投入を受付ける（Ｓ１１０）。なお、上述のコインの受付けに代えて、タイトルデモ表示中にテストボタンを押下することによって、
当該写真自動販売機のメンテナンスを行なうためのテストモードが起動する。
このモードにおいては当該写真自動販売機の利用状況（たとえばコイン投入数など）の確認や、カメラ２１、プリンタ１２など周辺機器の調整ができる。
　同様に、同拒絶理由通知において上記周知手段の例として提示された、本願の出願前に頒布された刊行物である登録実用新案第３０９３６６０号公報の段落【００５０】、【００６０】、【００６１】の記載を参照のこと。前記周知例と同じく、テストモードによる処理手段を用いることにより、メンテナンスを実行することが可能な写真撮影装置が開示されている。））。
　
　してみれば、引用発明の画像印刷装置において、上記した従来周知である、メンテナンスを行う作業、および、そのための操作手段として（テストモードなどによる）特定の処理手段を用いることは、当業者が容易になし得ることである。
　
イ．また、その保守の内容として、対象となる電子装置が、同種の二つのパーツ装置を併設し、その両方とも使用するものである場合、一方のパーツ装置に不具合が発生した場合や、メンテナンスのために一方のパーツ装置を休止させたい場合に、その各パーツ装置の使用を個々に不可能にするような設定を行うことも、従来周知の内容である。
（例えば、引用例２の記載事項コ、サでは、複数台あるプリンタ群のメンテナンスとして、何れかのプリンタに異常が発生した場合、（保守者の）入力操作に応じてホスト機は異常が発生したプリンタへのデータの出力先を他のプリンタに変更し、故障機での印刷動作を止める手段が開示されている（「【００１０】・・・何れかのプリンタに異常が発生した場合、ホスト機が警報するので、オペレータ等は迅速にプリンタ異常の発生を認知し、処置することができる。また、入力操作に応じてホスト機は異常が発生したプリンタへのデータの出力先を他のプリンタに変更するので、データの印字出力は変更された出力先のプリンタにて引き続き行える。」）。
　また、本願の出願前に頒布された刊行物である特開２００１−２３２９７９号公報には、複数台あるプリンタ群のメンテナンスの際に、一方のプリンタを休止させるように設定し、他方のプリンタにバックアップさせる手段が開示されている（「【０１４３】・・・
メンテナンスにより一方を休止させる場合に他方のプリンタをバックアップすること
　
　してみれば、引用発明の画像印刷装置において保守を行う場合に、その保守内容として、上記した従来周知の保守内容を含むことは、当業者が適宜選択する程度の事項であり、その保守対象のパーツ装置の一つとして、各編集手段は、当業者であれば当然想起するものである。
　
ウ．上記ア．及びイ．で述べたように、引用発明において、保守を行うとした場合の設定内容の一つとして、各編集手段の使用を個々に禁止する設定を可能とするのであれば、引用発明の誘導手段は、当然その設定状況に応じて、使用者を誘導するように制御することは、当業者が当然なす程度の事項である。
　
　以上、ア．〜ウ．の考察から、相違点２については、引用発明から、従来周知の手段に基づいて、当業者が容易に想到し得る事項である。
　
　そして、本願発明の効果も、引用例１及び２の記載、並びに従来周知の事項から当業者が予測し得る範囲内のものである。
　
　よって、本願発明は、引用例１に記載された発明、並びに引用例２に記載された事項及び従来周知の事項に基づいて、当業者が容易に発明をすることができたものである。
　
６．むすび
　以上のとおり、本願発明は、引用例１に記載された発明、並びに引用例２に記載された事項及び従来周知の事項に基づいて当業者が容易に発明をすることができたものであるから、特許法第２９条第２項の規定により特許を受けることができない。
　
　よって、結論のとおり審決する。